(57)【要約】【課題】  信号光増幅用光ファイバに、よりいっそうの光パワーを供給することのできる光ファイバ通信システムを提供すること目的とする。【解決手段】  信号光を伝送する光ファイバの両端に設置される２つの端局間で通信を行う光ファイバ通信システムにおいて、信号光増幅用励起光を前記光ファイバに出力する一次の励起光源１２と、励起光増幅用励起光を前記光ファイバに出力する二次の励起光源１３と、前記光ファイバの途中に設置され、前記信号光増幅用励起光と前記信号光とが重畳して入力すると、前記信号光を増幅させる少なくとも１つの信号光増幅用光ファイバ６１と、前記光ファイバの途中に設置され、前記励起光増幅用励起光と信号光増幅用励起光とが重畳して入力すると、前記信号光増幅用励起光を増幅させる少なくとも１つの励起光増幅用光ファイバ５１とを備える。【選択図】      図１
2006013965.tif 000002
【特許請求の範囲】
【請求項１】
信号光を伝送する光ファイバの両端に設置される２つの端局間で通信を行う光ファイバ通信システムにおいて、
信号光増幅用励起光を前記光ファイバに出力する信号光増幅用励起光出力手段と、
励起光増幅用励起光を前記光ファイバに出力する励起光増幅用励起光出力手段と、
前記光ファイバの途中に設置され、前記信号光増幅用励起光と前記信号光とが重畳して入力すると、前記信号光を増幅させる少なくとも１つの信号光増幅手段と、
前記光ファイバの途中に設置され、前記励起光増幅用励起光と前記信号光増幅用励起光とが重畳して入力すると、前記信号光増幅用励起光を増幅させる少なくとも１つの信号光増幅用励起光増幅手段とを備えた
ことを特徴とする光ファイバ通信システム。
【請求項２】
前記信号光増幅用励起光出力手段および前記励起光増幅用励起光出力手段のうち少なくとも一つから前記信号光増幅手段または前記信号光増幅用励起光増幅手段に接続する光ファイバを備えた
ことを特徴とする請求項１に記載の光ファイバ通信システム。
【請求項３】
前記信号光増幅用励起光出力手段および前記励起光増幅用励起光出力手段のうち少なくとも一つが、前記端局の局舎以外の局舎に設置され、前記信号光増幅手段または前記信号光増幅用励起光増幅手段に接続する光ファイバを備えた
ことを特徴とする請求項１に記載の光ファイバ通信システム。
【請求項４】
前記信号光増幅手段および前記信号光増幅用励起光増幅手段をひとつの装置にまとめた
ことを特徴とする請求項１ないし請求項３のいずれか１項に記載の光ファイバ通信システム。
【請求項５】
前記信号光増幅手段は、エルビウムがドープされた光ファイバである
ことを特徴とする請求項１ないし請求項４のいずれか１項に記載の光ファイバ通信システム。
【請求項６】
前記信号光増幅用励起光増幅手段は、ツリウムがドープされた光ファイバである
ことを特徴とする請求項１ないし請求項４のいずれか１項に記載の光ファイバ通信システム。
【請求項７】
前記信号光増幅用励起光の波長は１４８０ｎｍかつ前記励起光増幅用励起光の波長は１４００ｎｍである
ことを特徴とする請求項１ないし請求項６のいずれか１項に記載の光ファイバ通信システム。
【発明の詳細な説明】
【技術分野】
【０００１】
本発明は、遠隔励起光増幅技術を用いる光ファイバ通信システムに関するものである。
【背景技術】
【０００２】
光ファイバを用いた光ファイバ通信システムでは、光ファイバで構成される伝送路中に光増幅中継器を配置して通信を行う有中継システムと、伝送路中に光増幅器を配置しない無中継システムとがある。近年、無中継システムでは、遠隔励起光増幅技術により、伝送距離の長距離化が進んでいる。遠隔励起光増幅技術とは、両端局間を結ぶ伝送路上に信号光増幅用光ファイバを所定の位置に配置し、端局から信号光波長とは異なる波長を持つ励起光を入射することにより、信号光を信号光増幅用光ファイバで光増幅し、伝送距離を長距離化する技術である。実際に開発されている光ファイバ通信システムには、信号光増幅用光ファイバをＥＤＦ（エルビウムドープ光ファイバ）とし、信号光波長を１５５０ｎｍ帯、励起光波長を１４８０ｎｍとしたものがある（例えば、特許文献１参照。）。
【０００３】
遠隔励起光増幅には、光増幅を行うために、充分なパワーの励起光を信号光増幅用光ファイバに供給する必要がある。この目的を達成するために、励起光を高出力にする方法以外に、これまで例えば、励起光を別線伝送する方法や、励起光をラマン増幅する方法などがあった（例えば、非特許文献１参照。）。
【０００４】
図２４は、前記充分なパワーの励起光を信号光増幅用光ファイバに供給するシステムの例を示す図である。片方の端局、Ａ局１０は、信号光を送信する光送信装置１１と、信号光を励起するための励起光を送信する励起光源１５と、信号光と励起光とを合波する合波手段１４とを備えている。他方の端局、Ｂ局２０は、信号光を受信する光受信装置２１と、信号光を励起するための励起光を送信する励起光源２５と、信号光と励起光とを合波する合波手段２４とを有している。Ａ局１０、Ｂ局２０間の伝送路には、信号光増幅用光ファイバ６１よりなる光増幅装置６０と、信号光増幅用光ファイバ６１’よりなる光増幅装置６０’とを含んでいる。
【０００５】
このシステムにおいては、励起光源１５から送信された充分なパワーの励起光と、光送信装置１１から送信された信号光とが、合波手段１４で合波され、伝送路（光ファイバ）を介して遠隔設置された光増幅装置６０に入力され、信号光は信号光増幅用光ファイバ６１により増幅され、信号光の伝送距離は長延化される。同様に、光増幅装置６０’でも信号光は、励起光源２５からの充分なパワーの励起光により増幅され、伝送距離が長延化される。
【０００６】
図２５は、前記励起光を別線伝送する方法を適用したシステムの例を示す図である。ここでは、Ａ局１０に含まれる励起光源１５’と、Ａ局１０およびＢ局２０とは個別のＤ局４０に含まれる励起光源４５と、Ａ局１０およびＢ局２０とは個別のＣ局３０に含まれる励起光源３５と、Ｂ局２０に含まれる励起光源２５’とが別線により、遠隔設置された光増幅装置６０、６０’、６０’’に接続されている。このようにして、信号光を増幅し、伝送距離の長延化を図っている。
【０００７】
図２６は、前記励起光をラマン増幅（波長１４５０ｎｍ帯で起こる）する方法を適用したシステムの例を示す図である。ここでは、Ａ局１０は、励起光源１５から送信される励起光をラマン増幅する（励起光ラマン増幅用）励起光源１６と、励起光源１５’から送信される励起光をラマン増幅する（励起光ラマン増幅用）励起光源１６’とを含み、Ｂ局２０は、同様に、励起光源２５から送信される励起光をラマン増幅する（励起光ラマン増幅用）励起光源２６と、励起光源２５’から送信される励起光をラマン増幅する（励起光ラマン増幅用）励起光源２６’とを含み、Ｃ局３０は、励起光源３５から送信される励起光をラマン増幅する（励起光ラマン増幅用）励起光源３６を含み、Ｄ局４０は、励起光源４５から送信される励起光をラマン増幅する（励起光ラマン増幅用）励起光源４６を含む。励起光に、ラマン増幅用励起光を合波して、伝送路（光ファイバ）で伝送することにより、伝送路中で励起光をラマン増幅し、遠隔に設置された光増幅装置６０、６０’、６０”に、高出力の励起光を入力することを可能とし、光増幅の利得を大きくすることにより、伝送距離の長延化を可能とする。
【特許文献１】特許第２７１４６１１号明細書（図３など）
【非特許文献１】H. Maeda, G. Funatsu, and A. Naka“Design considerations of long span 10Gbit/s WDM unrepeated transmission systems”suboptic2004, We8.4.
【発明の開示】
【発明が解決しようとする課題】
【０００８】
しかしながら、遠隔励起光増幅技術による無中継伝送距離のさらなる長延化には、信号光増幅用光ファイバに、よりいっそうの光パワーを供給する必要がある。
【０００９】
本発明は、前記問題点に鑑みてなされたものであり、その目的とするところは、信号光増幅用光ファイバに、よりいっそうの光パワーを供給することのできる光ファイバ通信システムを提供することにある。
【課題を解決するための手段】
【００１０】
本発明は前記目的を達成するために、信号光を伝送する光ファイバの両端に設置される２つの端局間で通信を行う光ファイバ通信システムにおいて、信号光増幅用励起光を前記光ファイバに出力する信号光増幅用励起光出力手段と、励起光増幅用励起光を前記光ファイバに出力する励起光増幅用励起光出力手段と、前記光ファイバの途中に設置され、前記信号光増幅用励起光と前記信号光とが重畳して入力すると、前記信号光を増幅させる少なくとも１つの信号光増幅手段と、前記光ファイバの途中に設置され、前記励起光増幅用励起光と信号光増幅用励起光とが重畳して入力すると、前記信号光増幅用励起光を増幅させる少なくとも１つの信号光増幅用励起光増幅手段とを備えたことを特徴としている。これにより、信号光増幅手段および信号光増幅用励起光増幅手段によりいっそうの光パワーを供給することができる。
【発明の効果】
【００１１】
遠隔励起光増幅技術による無中継伝送距離のさらなる長延化を図ることができる。
【発明を実施するための最良の形態】
【００１２】
図１ないし図２３は、本発明の実施形態を示すものである。図面を参照して本発明の実施形態について説明する。以下、光送信装置から送信される信号光の波長が１５５０ｎｍで、信号光増幅用の一次の励起光の波長が１４８０ｎｍ、励起光増幅用の二次の励起光の波長が１４００ｎｍで好適な実施形態を示す。ただし、これらの数値に限られたものではない。
【００１３】
図１は、本発明の第１の実施形態を示すもので、この光ファイバ通信システムは、信号光を送信する光送信装置１１、信号光増幅用の一次の励起光源１２、励起光増幅用の二次の励起光源１３、信号光と一次の励起光と二次の励起光とを合波する合波手段１４を含むＡ局１０と、信号光を受信する光受信装置２１を含む他端のＢ局２０と、Ａ局１０、Ｂ局２０の間の伝送路に設置され、Ａ局１０側で励起光増幅用光ファイバ５１を含む励起光増幅装置５０と、Ｂ局２０側で信号光増幅用光ファイバ６１を含む信号光増幅装置６０とから構成されている。つまり、二次の励起光源を、一次の励起光源と同じ信号光送信側の局内に配置し、伝送路に独立した励起光増幅装置と信号光増幅装置とを配置した構成である。
【００１４】
まず、光送信装置１１から送信された信号光と、信号光増幅用の一次の励起光源１２から送信された一次の励起光と、励起光増幅用の二次の励起光源１３から送信された二次の励起光とが、合波手段１４で合波される。合波された信号光、一次の励起光、二次の励起光は、伝送路を通じて励起光増幅装置５０に達する。励起光増幅装置５０では、励起光増幅用光ファイバ５１において、二次の励起光によって一次の励起光が増幅される。続いて、信号光増幅装置６０では、信号光増幅用光ファイバ６１において、前記の増幅された一次励起光によって、信号光が増幅される。そして、信号光は伝送路を通じて、Ｂ局２０の光受信装置２１に達する。この第１の実施形態によれば、一次の励起光が二次の励起光により増幅されるので、信号光増幅用光ファイバ６１に、よりいっそうのパワーを供給することができる。
【００１５】
図２は、本発明の第２の実施形態を示すもので、この光ファイバ通信システムは、信号光を送信する光送信装置１１、信号光増幅用の一次の励起光源１２、励起光増幅用の二次の励起光源１３、信号光と一次の励起光と二次の励起光とを合波する合波手段１４を含むＡ局１０と、信号光を受信する光受信装置２１を含む他端のＢ局２０と、Ａ局１０、Ｂ局２０の間の伝送路に設置された、Ａ局１０側に励起光増幅用光ファイバ７１を、Ｂ局２０側に信号光増幅用光ファイバ７２を含む信号光および励起光増幅装置７０とから構成されている。つまり、二次の励起光源を、一次の励起光源と同じ信号光送信側の局内に配置し、伝送路に励起光増幅装置と信号光増幅装置とを含んだ増幅装置を配置した構成である。
【００１６】
まず、光送信装置１１から送信された信号光と、信号光増幅用の一次の励起光源１２から送信された一次の励起光と、励起光増幅用の二次の励起光源１３から送信された二次の励起光とが、合波手段１４で合波される。合波された信号光、一次の励起光、二次の励起光は、伝送路を通じて信号光および励起光増幅装置７０に達する。信号光および励起光増幅装置７０では、励起光増幅用光ファイバ７１において、二次の励起光によって一次の励起光が増幅される。続いて、信号光増幅用光ファイバ７２において、前記の増幅された一次励起光によって、信号光が増幅される。そして、信号光は伝送路を通じて、Ｂ局２０の光受信装置２１に達する。この第２の実施形態によれば、一次の励起光が二次の励起光により増幅されるので、信号光増幅用光ファイバ７２に、よりいっそうのパワーを供給することができる。
【００１７】
図３は、本発明の第３の実施形態を示すもので、この光ファイバ通信システムは、信号光を送信する光送信装置１１を含むＡ局１０と、信号光を受信する光受信装置２１、信号光増幅用の一次の励起光源２２、励起光増幅用の二次の励起光源２３、一次の励起光と二次の励起光とを合波し、Ａ局１０側に向けて伝送路に入力する合波手段２４を含むＢ局２０と、Ａ局１０、Ｂ局２０の間の伝送路に設置され、Ａ局１０側で信号光増幅用光ファイバ６１を含む信号光増幅装置６０と、Ｂ局２０側で励起光増幅用光ファイバ５１を含む励起光増幅装置５０とから構成されている。つまり、二次の励起光源を一次の励起光源と同じ、信号光受信側の局内に配置し、伝送路に独立した励起光増幅装置と信号光増幅装置とを配置した構成である。
【００１８】
まず、一次の励起光源２２から送信された一次の励起光と、二次の励起光源２３から送信された二次の励起光は、合波手段２４で合波され、Ｂ局２０から伝送路を通じて励起光増幅装置５０に達する。そして、励起光増幅用光ファイバ５１において、二次の励起光によって一次励起光が増幅される。増幅された一次励起光は、伝送路を通じて信号光増幅装置６０に達する。一次の励起光は、光送信装置１１から送信され反対側から伝送路を通じてきている信号光を、信号光増幅用光ファイバ６１において増幅する。増幅された信号光は、伝送路を通じてＢ局２０の光受信装置２１に達する。この第３の実施形態によれば、一次の励起光が二次の励起光により増幅されるので、信号光増幅用光ファイバ６１に、よりいっそうのパワーを供給することができる。
【００１９】
図４は、本発明の第４の実施形態を示すもので、この光ファイバ通信システムは、信号光を送信する光送信装置１１を含むＡ局１０と、信号光を受信する光受信装置２１、信号光増幅用の一次の励起光源２２、励起光増幅用の二次の励起光源２３、一次の励起光と二次の励起光とを合波し、Ａ局１０側に向けて伝送路に入力する合波手段２４とを含むＢ局２０と、Ａ局１０、Ｂ局２０の間の伝送路に設置され、Ａ局１０側に信号光増幅用光ファイバ７２を含み、Ｂ局２０側に励起光増幅用光ファイバ７１を含む信号光および励起光増幅装置７０とから構成されている。つまり、二次の励起光源を一次の励起光源と同じ、信号光受信側の局内に配置し、伝送路に励起光増幅装置と信号光増幅装置とを含んだ増幅装置を配置した構成である。
【００２０】
まず、一次の励起光源２２から送信された一次の励起光と、二次の励起光源２３から送信された二次の励起光は、合波手段２４で合波され、Ｂ局２０から伝送路を通じて信号光および励起光増幅装置７０に達する。そして、Ｂ局２０側の励起光増幅用光ファイバ７１において、二次励起光によって一次励起光が増幅される。増幅された一次の励起光は、光送信装置１１から送信され反対側から伝送路を通じてきている信号光を、信号光増幅用光ファイバ７２において増幅する。増幅された信号光は、伝送路を通じてＢ局２０の光受信装置２１に達する。この第４の実施形態によれば、一次の励起光が二次の励起光により増幅されるので、信号光増幅用光ファイバ７２に、よりいっそうのパワーを供給することができる。
【００２１】
図５は、本発明の第５の実施形態を示すもので、この光ファイバ通信システムは、信号光を送信する光送信装置１１、信号光増幅用の一次の励起光源１２、励起光増幅用の二次の励起光源１３、信号光と一次の励起光と二次の励起光とを合波する合波手段１４を含むＡ局１０と、信号光を受信する光受信装置２１、信号光増幅用の一次の励起光源２２、励起光増幅用の二次の励起光源２３、一次の励起光と二次の励起光と信号光とを合波してＡ局１０側に向けて伝送路に入力する合波手段２４を含むＢ局２０と、Ａ局１０側に設置され、励起光増幅用光ファイバ５１を含む励起光増幅装置５０と、Ｂ局２０側に設置され、励起光増幅用光ファイバ５１’を含む励起光増幅装置５０’と、励起光増幅装置５０と励起光増幅装置５０’の間に設置され、信号光増幅用光ファイバ６１を含む信号光増幅装置６０とから構成されている。つまり、二次の励起光源と一次の励起光源とを信号送信側の局内および信号受信側の局内に配置し、伝送路に独立した送信側用励起光増幅装置と信号光増幅装置と受信側用励起光増幅装置を配置した構成である。
【００２２】
まず、Ａ局１０内において、光送信装置１１から送信された信号光と、一次の励起光源１２から送信された一次の励起光と、二次の励起光源１３から送信された二次の励起光とが、合波手段１４によって合波され、伝送路を通じて励起光増幅装置５０に達する。ここで、励起光増幅用光ファイバ５１において、二次の励起光によって一次の励起光が増幅される。そして、一次の励起光と信号光は信号光増幅装置６０へと向かう。一方で、Ｂ局２０内において、一次の励起光源２２から送信された一次の励起光と、二次の励起光源２３から送信された二次の励起光とが、合波手段２４によって合波され、伝送路を通じて励起光増幅装置５０’に達する。ここで、励起光増幅用光ファイバ５１’において、二次の励起光によって一次の励起光が増幅される。増幅された一次励起光は、伝送路を通じて信号光増幅装置６０へと向かう。信号光増幅装置６０には、入力側と出力側の両方から増幅された一次の励起光が到着する。これにより、信号光増幅光ファイバ６１において、信号光が増幅される。増幅された信号光は、伝送路を通じてＢ局２０内の光受信装置２１に到着する。この第５の実施形態によれば、一次の励起光が二次の励起光により増幅され、信号光増幅用光ファイバ６１に両側から、よりいっそうのパワーを供給することができる。
【００２３】
図６は、本発明の第６の実施形態を示すもので、この光ファイバ通信システムは、信号光を送信する光送信装置１１、信号光増幅用の一次の励起光源１２、励起光増幅用の二次の励起光源１３、信号光と一次の励起光と二次の励起光とを合波する合波手段１４を含むＡ局１０と、信号光を受信する光受信装置２１、信号光増幅用の一次の励起光源２２、励起光増幅用の二次の励起光源２３、一次の励起光と二次の励起光とを合波してＡ局１０側に向けて伝送路に入力する合波手段２４を含むＢ局２０と、Ａ局１０側に設置される励起光増幅用光ファイバ７１、Ｂ局２０側に設置される励起光増幅用光ファイバ７１’、その間に設置される信号光増幅用光ファイバ７２を含む信号光および励起光増幅装置７０とから構成されている。つまり、二次の励起光源と一次の励起光源とを信号送信側の局内および信号受信側の局内に配置し、伝送路に送信側用励起光増幅装置と信号光増幅装置と受信側用励起光増幅装置とを含んだ増幅器を配置した構成である。
【００２４】
まず、Ａ局１０内において、光送信装置１１から送信された信号光と、一次の励起光源１２から送信された一次の励起光と、二次の励起光源１３から送信された二次の励起光とが、合波手段１４によって合波され、伝送路を通じて信号光および励起光増幅装置７０に達する。一方で、Ｂ局２０内において、一次の励起光源２２から送信された一次の励起光と、二次の励起光源２３から送信された二次の励起光とが、合波手段２４によって合波され、伝送路を通じて信号光および励起光増幅装置７０に達する。信号光および励起光増幅装置７０のＡ局１０側の励起光増幅用光ファイバ７１では、二次の励起光により一次の励起光が増幅され、信号光および励起光増幅装置７０のＢ局２０側の励起光増幅用光ファイバ７１’では、同様に、二次の励起光により一次の励起光が増幅され、これらの増幅された一次の励起光が、励起光増幅用光ファイバで挟まれた信号光増幅用光ファイバ７２において、信号光を増幅する。増幅された信号光は、伝送路を通じて、Ｂ局２０内の光受信装置２１に到着する。この第６の実施形態によれば、一次の励起光が二次の励起光により増幅され、信号光増幅用光ファイバ７１に両側から、よりいっそうのパワーを供給することができる。
【００２５】
図７は、本発明の第７の実施形態を示すもので、この光ファイバ通信システムは、信号光を送信する光送信装置１１、信号光増幅用の一次の励起光源１２、励起光増幅用の二次の励起光源１３、信号光と一次の励起光とを合波する合波手段１４を含むＡ局１０と、信号光を受信する光受信装置２１を含む他端のＢ局２０と、Ａ局１０側の励起光増幅用光ファイバ５１と、励起光増幅用光ファイバ５１よりもＢ局２０側で、二次の励起光源１３に接続され、二次の励起光をＡ局１０側に向けて伝送路に入力する合波手段５２とを含む励起光増幅装置５０と、励起光増幅装置５０よりもＢ局２０側で信号光増幅用光ファイバ６１を含む信号光増幅装置６０とから構成されている。つまり、二次の励起光源を一次の励起光と同じ信号送信側の局内に配置し、伝送路に独立した励起光増幅装置と信号光増幅装置または図の点線が示すように両方の機能を備えた装置とを配置し、励起光増幅装置では後方励起の形態となるように二次の励起光源が、別線で接続された構成である。
【００２６】
光送信装置１１の送信する信号光と、一次の励起光源１２の送信する一次の励起光を、合波手段１４が合波し、伝送路を通じて励起光増幅装置５０に達し、励起光増幅用光ファイバ５１のＡ局１０側から入射する。二次の励起光源１３から送信された二次の励起光は、励起光増幅用光ファイバ５１のＢ局２０側から合波手段５２を介して入射し、励起光増幅用光ファイバ５１で一次の励起光を増幅する。信号光と増幅された一次の励起光は、信号光増幅装置６０に達し、信号光増幅用光ファイバ６１において、一次の励起光によって信号光が増幅される。増幅された信号光は、Ｂ局２０の光受信装置２１に到達する。この第７の実施形態によれば、一次の励起光が二次の励起光により増幅されるので、信号光増幅用光ファイバ６１に、よりいっそうのパワーを供給することができる。
【００２７】
図８は、本発明の第８の実施形態を示すもので、この光ファイバ通信システムは、信号光を送信する光送信装置１１、信号光増幅用の一次の励起光源１２、励起光増幅用の二次の励起光源１３、信号光と一次の励起光とを合波する合波手段１４を含むＡ局１０と、信号光を受信する光受信装置２１を含む他端のＢ局２０と、Ｂ局２０側の励起光増幅用光ファイバ５１と、励起光増幅用光ファイバ５１よりもＡ局１０側で、二次の励起光源１３に接続され、二次の励起光と信号光および一次の励起光を合波する合波手段５２とを含む励起光増幅装置５０と、励起光増幅装置５０よりもＢ局２０側で、信号光増幅用光ファイバ６１を含む信号光増幅装置６０とから構成されている。つまり、二次の励起光源を一次の励起光源と同じ信号送信側の局内に配置し、伝送路に独立した励起光増幅装置と信号光増幅装置または図の点線が示すように両方の機能を備えた装置とを配置し、励起光増幅装置では前方励起の形態となるように二次の励起光源が別線で接続された構成である。
【００２８】
光送信装置１１の送信する信号光と、一次の励起光源１２の送信する一次の励起光を、合波手段１４が合波し、伝送路を通じて励起光増幅装置５０に達する。二次の励起光源１３から送信された二次の励起光は、励起光増幅装置５０の合波手段５２において、信号光および一次の励起光と合波し、励起光増幅用光ファイバ５１において、二次の励起光によって一次の励起光が増幅される。信号光と増幅された一次の励起光は、信号光増幅装置６０に達し、信号光増幅用光ファイバ６１において、一次の励起光が信号光を増幅する。増幅された信号光は、Ｂ局２０の光受信装置２１に到達する。この第８の実施形態によれば、一次の励起光が二次の励起光により増幅されるので、信号光増幅用光ファイバ６１に、よりいっそうのパワーを供給することができる。
【００２９】
図９は、本発明の第９の実施形態を示すもので、この光ファイバ通信システムは、信号光を送信する光送信装置１１、信号光増幅用の一次の励起光源１２、励起光増幅用の二次の励起光源１３、一次の励起光と二次の励起光を合波する合波手段１４を含むＡ局１０と、信号光を受信する光受信装置２１を含むＢ局２０と、信号光と一次の励起光および二次の励起光を合波する合波手段５２と、合波手段５２よりもＢ局２０側の励起光増幅用光ファイバ５１とを含む励起光増幅装置５０と、励起光増幅装置５０よりもＢ局２０側で、信号光増幅用光ファイバ６１を含む信号光増幅装置６０とから構成されている。つまり、二次の励起光源を、一次の励起光源と同じ信号送信側の局内に配置し、伝送路に独立した励起光増幅装置と信号光増幅装置または図の点線が示すように両方の機能を備えた装置とを配し、一次の励起光と二次の励起光は合波され、励起光増幅装置では前方励起の形態となるように別線で一次の励起光源と二次の励起光源とが接続された構成である。
【００３０】
光送信装置１１から送信された信号光は、伝送路を介して励起光増幅装置５０に達する。一方で、一次の励起光源１２から送信された一次の励起光と、二次の励起光源１３から送信された二次の励起光は合波手段１４で合波され、伝送路を通じて励起光増幅装置５０に達する。ここで、信号光と、一次の励起光と、二次の励起光とが合波手段５２において合波される。続いて、励起光増幅用光ファイバ５１において、二次の励起光が一次の励起光を増幅する。増幅された一次の励起光と信号光は、伝送路を通じて、信号光増幅装置６０に送られる。信号光増幅装置６０では、信号光増幅用光ファイバ６１において、一次の励起光が信号光を増幅する。増幅された信号光は、伝送路を通じてＢ局２０内の光受信装置２１に到達する。この第９の実施形態によれば、一次の励起光が二次の励起光により増幅されるので、信号光増幅用光ファイバ６１に、よりいっそうのパワーを供給することができる。
【００３１】
図１０は、本発明の第１０の実施形態を示すもので、この光ファイバ通信システムは、信号光を送信する光送信装置１１、信号光増幅用の一次の励起光源１２、励起光増幅用の二次の励起光源１３、信号光と一次の励起光と二次の励起光とを合波する合波手段１４と、さらに一次の励起光源１２’、二次の励起光源１３’、一次の励起光と二次の励起光を合波する合波手段１４’とからなるＡ局１０と、信号光を受信する光受信装置２１を含むＢ局２０と、合波手段１４からの信号光と一次の励起光と二次の励起光と合波手段１４’からの一次の励起光と二次の励起光とを合波する合波手段５２と、そのＢ局２０側の励起光増幅用光ファイバ５１とを含む励起光増幅装置５０と、励起光増幅装置５０よりもＢ局２０側で信号光増幅用光ファイバ６１を含む信号光増幅装置６０とから構成されている。
【００３２】
まず、光送信装置１１から送信された信号光と、一次の励起光源１２から送信された一次の励起光と、二次の励起光源１３から送信された二次の励起光は、合波手段１４で合波される。一次の励起光源１２’から送信された一次の励起光と、二次の励起光源１３’から送信された二次の励起光は、合波手段１４’で合波される。それぞれ合波された信号光と励起光は、伝送路を通じて励起光増幅装置５０の合波手段５２に達し、合波される。続いて、励起光増幅用光ファイバ５１において、二次の励起光が一次の励起光を増幅する。信号光と増幅された一次の励起光とは、伝送路を通じて信号光増幅装置６０に達し、信号光増幅用光ファイバ６１において、一次の励起光によって、信号光が増幅される。増幅された信号光は、伝送路を介してＢ局２０内の光受信装置２１に達する。この第１０の実施形態によれば、一次の励起光が二次の励起光により増幅されるので、信号光増幅用光ファイバ６１に、よりいっそうのパワーを供給することができる。
【００３３】
図１１は、本発明の第１１の実施形態を示すもので、この光ファイバ通信システムは、信号光を送信する光送信装置１１を含むＡ局１０と、信号光を受信する光受信装置２１、信号光増幅用の一次の励起光源２２、励起光増幅用の二次の励起光源２３、一次の励起光と信号光とを合波する合波手段２４を含むＢ局２０と、Ａ局１０側で信号光増幅用光ファイバ６１を含む信号光増幅装置６０と、信号光増幅装置６０よりもＢ局２０側で、励起光増幅用光ファイバ５１と、伝送路に二次の励起光をＢ局２０側に向けて入力する合波手段５２とを含む励起光増幅装置５０とから構成されている。つまり、二次の励起光源を、一次の励起光源と同じ信号受信側の局内に配置し、伝送路に独立した励起光増幅装置と信号光増幅装置または図の点線が示すように両方の機能を備えた装置とを配置し、励起光増幅装置では前方励起の形態となるように二次の励起光源を別線で接続された構成である。
【００３４】
一次の励起光源２２から送信された一次の励起光は、合波手段２４を介して励起光増幅装置５０に達し、また、二次の励起光源２３から送信された二次の励起光は励起光増幅装置５０の合波手段５２を介して、一次の励起光と反対側から励起光増幅用光ファイバ５１に入射し、二次の励起光によって一次の励起光が増幅される。増幅された一次の励起光は、伝送路を通じて、信号光増幅装置６０に達する。反対側からは、光送信装置１１から送信された信号光が、伝送路を通じて信号光増幅装置６０に達する。信号光増幅装置６０の信号光増幅用光ファイバ６１において、信号光が一次の信号光によって増幅される。増幅された信号光は、励起光増幅装置５０、Ｂ局２０内の合波手段２４を介して、光受信装置２１に受信される。この第１１の実施形態によれば、一次の励起光が二次の励起光により増幅されるので、信号光増幅用光ファイバ６１に、よりいっそうのパワーを供給することができる。
【００３５】
図１２は、本発明の第１２の実施形態を示すもので、この光ファイバ通信システムは、信号光を送信する光送信装置１１を含むＡ局１０と、信号光を受信する光受信装置２１、信号光増幅用の一次の励起光源２２、励起光増幅用の二次の励起光源２３、一次の励起光と信号光とを合波する合波手段２４を含むＢ局２０と、Ａ局１０側で、信号光増幅用光ファイバ６１を含む信号光増幅装置６０と、信号光増幅装置６０よりもＢ局２０側で、Ａ局１０側の励起光増幅用光ファイバ５１と、信号光と一次の励起光と二次の励起光とを合波する合波手段５２とを含む励起光増幅装置５０とから構成されている。つまり、二次の励起光源を、一次の励起光源と同じ信号受信側の局内に配置し、伝送路に独立した励起光増幅装置と信号光増幅装置または図の点線が示すように両方の機能を備えた装置とを配置し、励起光増幅装置では後方励起の形態となるように別線で二次の励起光源が接続された構成である。
【００３６】
一次の励起光源２２から送信された一次の励起光は、合波手段２４を介して励起光増幅装置５０に達し、合波手段５２を介して励起光増幅用光ファイバ５１に到達する。また、二次の励起光源２３から送信された二次の励起光は、励起光増幅装置５０の合波手段５２を介して、励起光増幅用光ファイバ５１に入射し、二次の励起光によって一次の励起光が増幅される。増幅された一次の励起光は、伝送路を通じて、信号光増幅装置６０に達する。反対側からは、光送信装置１１から送信された信号光が、伝送路を通じて信号光増幅装置６０に達する。信号光増幅装置６０の信号光増幅用光ファイバ６１において、信号光が一次の信号光によって増幅される。増幅された信号光は、励起光増幅装置５０、Ｂ局２０内の合波手段２４を介して、光受信装置２１に受信される。この第１２の実施形態によれば、一次の励起光が二次の励起光により増幅されるので、信号光増幅用光ファイバ６１に、よりいっそうのパワーを供給することができる。
【００３７】
図１３は、本発明の第１３の実施形態を示すもので、この光ファイバ通信システムは、信号光を送信する光送信装置１１を含むＡ局１０と、信号光を受信する光受信装置２１、信号光増幅用の一次の励起光源２２、励起光増幅用の二次の励起光源２３、一次の励起光と二次の励起光とを合波する合波手段２４を含むＢ局２０と、Ａ局１０側の励起光増幅用光ファイバ５１と、一次の励起光と二次の励起光と信号光とを合波する合波手段５２とを含む励起光増幅装置５０と、励起光増幅装置５０よりもＡ局１０側で、信号光増幅用光ファイバ６１を含むＡ局１０側の信号光増幅装置６０とから構成されている。つまり、二次の励起光源を一次の励起光源と同じ信号受信側の局内に配置し、伝送路に独立した励起光増幅装置と信号光増幅装置または図の点線が示すように両方の機能を備えた装置とを配置し、一次の励起光と二次の励起光は合波され、励起光増幅装置では後方励起の形態になるように、一次の励起光源と二次の励起光源とが別線で接続された構成である。
【００３８】
一次の励起光源２２から送信された一次の励起光と、二次の励起光源２３から送信された二次の励起光とが、合波手段２４により合波され、伝送路を通じて励起光増幅装置５０に達し、励起光増幅用光ファイバ５１において、二次の励起光が一次の励起光を増幅する。増幅された一次の励起光が、信号光増幅装置６０の信号光増幅用光ファイバ６１に達する。一方で、光送信装置１１から送信された信号光が、信号光増幅装置６０の信号光増幅用光ファイバ６１に達すると、一次の励起光により信号光が増幅される。増幅された信号光は、励起光増幅装置５０を介して光受信装置２１に受信される。この第１３の実施形態によれば、一次の励起光が二次の励起光により増幅されるので、信号光増幅用光ファイバ６１に、よりいっそうのパワーを供給することができる。
【００３９】
図１４は、本発明の第１４の実施形態を示すもので、この光ファイバ通信システムは、信号光を送信する光送信装置１１を含むＡ局１０と、信号光を受信する光受信装置２１、信号光増幅用の一次の励起光源２２、励起光増幅用の二次の励起光源２３、一次の励起光と二次の励起光とを合波する合波手段２４、信号光増幅用の一次の励起光源２２’、励起光増幅用の二次の励起光源２３’、一次の励起光と二次の励起光とを合波する合波手段２４’とからなるＢ局２０と、Ａ局１０側の励起光増幅用光ファイバ５１と一次の励起光と二次の励起光と信号光とを合波する合波手段５０とからなる励起光増幅装置５０と、励起光増幅装置５０よりもＡ局１０側に配置され、信号光増幅用光ファイバ６１を含む信号光増幅装置６０とから構成されている。
【００４０】
一次の励起光源２２から送信された一次の励起光と二次の励起光源２３から送信された二次の励起光とが合波手段２４により合波され、伝送路を通じて励起光増幅装置５０の合波手段５２に達する。一方で、一次の励起光源２２’から送信された一次の励起光と、二次の励起光源２３’から送信された二次の励起光とが、合波手段２４’において合波され、伝送路を通じて励起光増幅装置５０の合波手段５２に達する。これらの励起光は、励起光増幅用光ファイバ５１において、二次の励起光が一次の励起光を増幅する。増幅された一次の励起光は、信号光増幅装置６０の信号光増幅装置６１に達し、反対側からは光送信装置１１から送信された信号光が、信号光増幅装置６０の信号光増幅用光ファイバ６１に到達する。信号光増幅用光ファイバ６１では、信号光は一次の励起光により増幅される。信号光は、励起光増幅装置５０、合波手段２４を介して光受信装置２１に受信される。この第１４の実施形態によれば、一次の励起光が二次の励起光により増幅され、そのパワーも実施形態１３などよりも大きいので、信号光増幅用光ファイバ６１に、よりいっそうのパワーを供給することができる。
【００４１】
図１５は、本発明の第１５の実施形態を示すもので、この光ファイバ通信システムは、信号光を送信する光送信装置１１、信号光増幅用の一次の励起光源１２、信号光と一次の励起光を合波する合波手段１４を含むＡ局１０と、信号光を受信する光受信装置２１を含むＢ局２０と、励起光増幅用の二次の励起光源３３を含むＣ局３０と、Ａ局１０側の励起光増幅用光ファイバ５１と、信号光と一次の励起光と二次の励起光とを合波する合波手段５２とを含む励起光増幅装置５０と、励起光増幅装置よりもＢ局２０側で、信号光増幅用光ファイバ６１を含む信号光増幅装置６０とから構成されている。つまり、一次の励起光源を信号光送信側の局内に配置し、二次の励起光源を端局の局舎以外の局舎に配置し、伝送路に独立した励起光増幅装置と信号光増幅装置または図の点線が示すように両方の機能を備えた装置とを配置し、励起光増幅装置では後方励起の形態になるように二次の励起光源が接続された構成である。
【００４２】
光送信装置１１から送信された信号光と、一次の励起光源１２から送信された一次の励起光が合波手段１４で合波され、励起光増幅装置５０の励起光増幅用光ファイバ５１に到達する。一方で、Ｃ局３０の二次の励起光源３３からは二次の励起光が送信され、合波手段５２を介して励起光増幅用光ファイバ５１に到達する。励起光増幅用光ファイバ５１において、一次の励起光が二次の励起光によって増幅される。増幅された一次の励起光は信号光とともに、合波手段５２を介して信号光増幅装置６０の信号光増幅用光ファイバ６１に達し、ここで信号光が一次の励起光により増幅される。増幅された信号光は、光受信装置２１に受信される。この第１５の実施形態によれば、一次の励起光が二次の励起光により増幅されるので、信号光増幅用光ファイバ６１に、よりいっそうのパワーを供給することができる。
【００４３】
図１６は、本発明の第１６の実施形態を示すもので、この光ファイバ通信システムは、信号光を送信する光送信装置１１、信号光増幅用の一次の励起光源１２、信号光と一次の励起光を合波する合波手段１４を含むＡ局１０と、信号光を受信する光受信装置２１を含むＢ局２０と、励起光増幅用の二次の励起光源３３を含むＣ局３０と、Ｂ局２０側の励起光増幅用光ファイバ５１と、信号光と一次の励起光と二次の励起光とを合波する合波手段５２とを含む励起光増幅装置５０と、励起光増幅装置５０よりもＢ局２０側で、信号光増幅用光ファイバ６１を含む信号光増幅装置６０とから構成されている。つまり、一次の励起光源を信号光送信側の局内に配置し、二次の励起光を端局の局舎以外の局舎に配置し、伝送路に独立した励起光増幅装置と信号光増幅装置または図の点線が示すように両方の機能を備えた装置とを配置し、励起光増幅装置では前方励起の形態になるように二次の励起光源を接続した構成である。
【００４４】
光送信装置１１から送信された信号光と、一次の励起光源１２から送信された一次の励起光が合波手段１４で合波され、励起光増幅装置５０の合波手段５２に到達する。一方で、Ｃ局３０の二次の励起光源３３からは二次の励起光が送信され、合波手段５２に到達する。信号光と一次の励起光と二次の励起光は、合波手段５２において合波され、続いて
励起光増幅用光ファイバ５１において、一次の励起光が二次の励起光によって増幅される。増幅された一次の励起光は信号光とともに、信号光増幅装置６０の信号光増幅用光ファイバ６１に達し、ここで信号光が一次の励起光により増幅される。増幅された信号光は、光受信装置２１に受信される。この第１６の実施形態によれば、一次の励起光が二次の励起光により増幅されるので、信号光増幅用光ファイバ６１に、よりいっそうのパワーを供給することができる。
【００４５】
図１７は、本発明の第１７の実施形態を示すもので、この光ファイバ通信システムは、信号光を送信する光送信装置１１を含むＡ局１０と、信号光を受信する光受信装置２１を含むＢ局２０と、信号光増幅用の一次の励起光源３２、励起光増幅用の二次の励起光源３３、一次の励起光と二次の励起光とを合波する合波手段３４を含むＣ局３０と、Ａ局１０側で、励起光増幅用光ファイバ５１と、一次の励起光と二次の励起光と信号光とを合波する合波手段５２とを含む励起光増幅装置５０と、励起光増幅装置５０よりもＢ局２０側で、信号光増幅用光ファイバ６１を含む信号光増幅装置６０とから構成されている。つまり、二次の励起光と一次の励起光を、端局の局舎以外の局舎に配置し、伝送路に独立した励起光増幅装置と信号光増幅装置または図の点線が示すように両方の機能を備えた装置とを配置し、励起光増幅装置では前方励起の形態となるように一次の励起光源と二次の励起光源とを接続した構成である。
【００４６】
光送信装置１１から送信された信号光は、励起光増幅装置５０の合波手段５２に到達する。一方で、Ｃ局３０の一次の励起光源３２から送信された一次の励起光と、二次の励起光源３３から送信された二次の励起光が合波手段３４に合波され、伝送路を通じて合波手段５２に達する。続いて、励起光増幅用光ファイバ５１において、一次の励起光は二次の励起光によって増幅され、そして、信号光増幅装置６０の信号光増幅用光ファイバ６１において、信号光が一次の励起光によって増幅される。増幅された信号光は伝送路を通じて、Ｂ局２０内の光受信装置２１に受信される。この第１７の実施形態によれば、一次の励起光が二次の励起光により増幅されるので、信号光増幅用光ファイバ６１に、よりいっそうのパワーを供給することができる。
【００４７】
図１８は、本発明の第１８の実施形態を示すもので、この光ファイバ通信システムは、信号光を送信する光送信装置１１、信号光増幅用の一次の励起光源１２、励起光増幅用の二次の励起光源１３、信号光と一次の励起光と二次の励起光とを合波する合波手段１４を含むＡ局１０と、信号光を受信する光受信装置２１を含むＢ局と、信号光増幅用の一次の励起光源３２、励起光増幅用の二次の励起光源３３、一次の励起光と二次の励起光とを合波する合波手段３４を含むＣ局３０と、Ａ局１０からの信号光と一次の励起光と二次の励起光と、Ｃ局３０からの一次の励起光と二次の励起光とを合波する合波手段５２、励起光増幅用光ファイバ５１を含む励起光増幅装置５０と、励起光増幅装置５０よりもＢ局２０側で、信号光増幅用光ファイバ６１を含む信号光増幅装置６０とから構成されている。
【００４８】
光送信装置１１から送信された信号光は、一次の励起光源１２から送信された一次の励起光と、二次の励起光源１３から送信された二次の励起光とともに、合波手段１４により合波され、伝送路を通じて、励起光増幅装置５０の合波手段５２に到達する。一方で、Ｃ局３０内の一次の励起光源３２は一次の励起光を送信し、二次の励起光源３３は二次の励起光を送信し、合波手段３４により合波され、伝送路を通じて励起光増幅装置５０の合波手段５２に達する。合波手段５２では、信号光と一次の励起光と二次の励起光とが合波され、続いて、励起光増幅用光ファイバ５１において、一次の励起光が二次の励起光によって増幅される。そして、励起光増幅装置５０よりもＢ局２０側の信号光増幅装置６０内の信号光増幅用光ファイバ６１において、一次の励起光によって信号光が増幅される。増幅された信号光は、光受信装置２１によって受信される。この第１８の実施形態によれば、一次の励起光が二次の励起光により増幅され、そのパワーも実施形態１７などよりも大きいので、信号光増幅用光ファイバ６１に、よりいっそうのパワーを供給することができる。
【００４９】
図１９は、本発明の第１９の実施形態を示すもので、この光ファイバ通信システムは、信号光を送信する光送信装置１１を含むＡ局１０と、信号光を受信する光受信装置２１、信号光増幅用の一次の励起光源２２、信号光と一次の励起光とを合波する合波手段２４を含むＢ局２０と、励起光増幅用の二次の励起光源３３を含むＣ局３０と、Ｂ局２０側の励起光増幅用光ファイバ５１、信号光と二次の励起光とを合波する合波手段５２を含む励起光増幅装置５０と、励起光増幅装置５０よりもＡ局１０側で信号光増幅用光ファイバ６１を含む信号光増幅装置６０とから構成されている。つまり、一次の励起光源を信号受信側の局内に配置し、二次の励起光源を端局の局舎以外の局舎に配置し、伝送路に独立した励起光増幅装置と信号光増幅装置または図の点線が示すように両方の機能を備えた装置とを配置し、励起光増幅装置では前方励起の形態になるように別線で二次の励起光源を接続した構成である。
【００５０】
一次の励起光源２２から送信された一次の励起光が、合波手段２４を介して励起光増幅装置５０の励起光増幅用光ファイバ５１に到達する。一方で、Ｃ局３０の二次の励起光源３３から送信された二次の励起光が伝送路を通じて合波手段５２を介して励起光増幅用光ファイバ５１に到達すると、二次の励起光が一次の励起光を増幅する。増幅された一次の励起光は合波手段５２を介して、信号光増幅装置６０の信号光増幅用光ファイバ６１に到達する。反対側からは、光送信装置１１から送信された信号光が、伝送路を通じて信号光増幅用光ファイバ６１に到達すると、信号光が一次の励起光によって増幅され、励起光増幅装置５０、合波手段２４を介して光受信装置２１に受信される。この第１９の実施形態によれば、一次の励起光が二次の励起光により増幅されるので、信号光増幅用光ファイバ６１に、よりいっそうのパワーを供給することができる。
【００５１】
図２０は、本発明の第２０の実施形態を示すもので、この光ファイバ通信システムは、信号光を送信する光送信装置１１を含むＡ局１０と、信号光を受信する光受信装置２１、信号光増幅用の一次の励起光源２２、伝送路に一次の励起光をＡ局１０側に向けて入力する合波手段２４を含むＢ局２０と、励起光増幅用の二次の励起光源３３を含むＣ局３０と、Ａ局１０側の励起光増幅用光ファイバ５１、伝送路に二次の励起光をＡ局１０側に向けて入力する合波手段５２とを含む励起光増幅装置５０と、励起光増幅装置５０よりもＡ局１０側で信号光増幅用光ファイバ６１を含む信号光増幅装置６０とから構成されている。つまり、一次の励起光源を信号受信側の局内に配置し、二次の励起光源を端局の局舎以外の局舎に配置し、伝送路に独立した励起光増幅装置と信号光増幅装置または図の点線が示すように両方の機能を備えた装置とを配置し、励起光増幅装置では後方励起の形態になるように別線で二次の励起光源を接続した構成である。
【００５２】
一次の励起光源２２から送信された一次の励起光が、合波手段２４、励起光増幅装置５０の合波手段５０を介して励起光増幅用光ファイバ５１に到達する。一方で、Ｃ局３０の二次の励起光源３３から送信された二次の励起光が伝送路を通じて合波手段５２を介して励起光増幅用光ファイバ５１に到達すると、二次の励起光が一次の励起光を増幅する。増幅された一次の励起光は、信号光増幅装置６０の信号光増幅用光ファイバ６１に到達する。反対側からは、光送信装置１１から送信された信号光が伝送路を通じて信号光増幅用光ファイバ６１に到達すると、信号光が一次の励起光によって増幅され、励起光増幅装置５０、合波手段２４を介して光受信装置２１に受信される。この第２０の実施形態によれば、一次の励起光が二次の励起光により増幅されるので、信号光増幅用光ファイバ６１に、よりいっそうのパワーを供給することができる。
【００５３】
図２１は、本発明の第２１の実施形態を示すもので、この光ファイバ通信システムは、信号光を送信する光送信装置１１を含むＡ局１０と、信号光を受信する光受信装置２１を含むＢ局２０と、信号光増幅用の一次の励起光源３２、励起光増幅用の二次の励起光源３３、一次の励起光と二次の励起光とを合波する合波手段３４を含むＣ局３０と、Ａ局１０側に励起光増幅用光ファイバ５１、伝送路に二次の励起光をＡ局１０側に向けて入力する合波手段５２を含む励起光増幅装置５０と、励起光増幅装置５０よりもＡ局１０側で、信号光増幅用光ファイバ６１を含む信号光増幅装置６０とから構成されている。つまり、一次の励起光源と二次の励起光源とを端局の局舎以外の局舎に配置し、伝送路に独立した励起光増幅装置と信号光増幅装置または図の点線が示すように両方の機能を備えた装置とを配置し、励起光増幅装置では後方励起の形態になるように別線で励起光増幅装置が接続された構成である。
【００５４】
Ｃ局３０における一次の励起光源３２から送信された一次の励起光と、二次の励起光源３３から送信された二次の励起光とが、合波手段３４において合波され、伝送路を通じて励起光増幅装置５０の合波手段５２を介して、Ａ局１０側の励起光増幅用光ファイバ５１に達すると、二次の励起光が一次の励起光を増幅する。増幅された一次の励起光は、信号光増幅装置６０の信号光増幅用光ファイバ６１に達する。反対側からは、光送信装置１１から送信された信号光が伝送路を通じて信号光増幅用光ファイバ６１に到達する。そうすると、一次の励起光が信号光を増幅し、増幅された信号光は励起光増幅装置５０を介してＢ局２０の光受信装置２１に受信される。この第２１の実施形態によれば、一次の励起光が二次の励起光により増幅されるので、信号光増幅用光ファイバ６１に、よりいっそうのパワーを供給することができる。
【００５５】
図２２は、本発明の第２２の実施形態を示すもので、この光ファイバ通信システムは、信号光を送信する光送信装置１１を含むＡ局１０と、信号光を受信する光受信装置２１、信号光増幅用の一次の励起光源２２、信号光増幅用の二次の励起光源２３、一次の励起光と二次の励起光とを伝送路にＡ局１０側に向けて入力する合波手段２４を含むＢ局２０と、信号光増幅用の一次の励起光源３２、励起光増幅用の二次の励起光源３３、一次の励起光と二次の励起光とを合波する合波手段３４を含むＣ局３０と、Ａ局１０側の励起光増幅用光ファイバ５１、Ｃ局３０からの一次の励起光と二次の励起光とを伝送路にＡ局１０側に向けて入力する合波手段５２を含む励起光増幅装置５０と、励起光増幅装置５０よりもＡ局１０側で、信号光増幅用光ファイバ６１を含む信号光増幅装置６０とから構成されている。
【００５６】
Ｂ局２０における一次の励起光源２２から送信される一次の励起光と、二次の励起光源２３から送信される二次の励起光とが、合波手段２４により合波され、伝送路を通じて励起光増幅装置５０の合波手段５２に到達する。一方で、Ｃ局３０における一次の励起光源３２から送信される一次の励起光と、二次の励起光源３３から送信される二次の励起光とを合波手段３４が合波し、伝送路を通じて、励起光増幅装置５０の合波手段５２に達する。これらの一次の励起光と二次の励起光とは、励起光増幅用光ファイバ５１において、二次の励起光が一次の励起光を増幅する。増幅された一次の励起光は、信号光増幅装置６０の信号光増幅用光ファイバ６１に進み、反対側からはＡ局１０の光送信装置１１から送信された信号光が到着する。そうすると、信号光が一次の励起光に増幅され、増幅された信号光は、励起光増幅装置５０を介して、Ｂ局２０内の光受信装置２１に受信される。この第２２の実施形態によれば、一次の励起光が二次の励起光により増幅され、第２１の実施形態などよりも大きいパワーとなるので、信号光増幅用光ファイバ６１に、よりいっそうのパワーを供給することができる。
【００５７】
図２３は、本発明の第２３の実施形態を示すもので、この光ファイバ通信システムは、信号光を送信する光送信装置１１、信号光増幅用の一次の励起光源１２、励起光増幅用の二次の励起光源１３、一次の励起光と二次の励起光と信号光とを合波する合波手段１４を含むＡ局１０と、信号光を受信する光受信装置２１、信号光増幅用の一次の励起光源２２、励起光増幅用の二次の励起光源２３、Ａ局１０側に向けて伝送路に一次の励起光を入力する合波手段２４を含むＢ局２０と、信号光増幅用の一次の励起光源３２、励起光増幅用の二次の励起光源３３、一次の励起光源３２からの一次の励起光と、二次の励起光源３３からの二次の励起光とを合波する合波手段３４を含むＣ局３０と、信号光増幅用の一次の励起光源４２、励起光増幅用の二次の励起光源４３、一次の励起光源４２からの一次の励起光と、二次の励起光源４３からの二次の励起光とを合波する合波手段４４を含むＤ局４０と、Ａ局１０側で、励起光増幅用光ファイバ５１’を含む励起光増幅装置５０’と、Ｂ局２０側で信号光増幅用光ファイバ７１、励起光増幅用光ファイバ７２、合波手段７３を含む信号光および励起光増幅装置７０と、励起光増幅装置５０’と信号光および励起光増幅装置７０の間にあって、励起光増幅用光ファイバ５１、合波手段５２を含む励起光増幅装置５０とから構成されている。つまり、二次の励起光源を一次の励起光源と同じ信号送信側の局内に配置し、二次の励起光源と一次の励起光源を端局の局舎以外の２つの局舎に配置し、二次の励起光を一次の励起光と同じ信号受信側の局内に配置し、伝送路に独立した励起光増幅装置と、信号光増幅装置と、両方の増幅機能を備えた装置を配置し、端局の局舎以外の２つの局舎および信号光受信側の局内から別線で接続した構成である。
【００５８】
Ａ局１０において、光送信装置１１から送信された信号光と、一次の励起光源１２から送信された一次の励起光と、二次の励起光源１３から送信された二次の励起光とが、合波手段１４により合波され、伝送路を通じて励起光増幅装置５０’に到達すると、励起光増幅用光ファイバ５１’において、二次の励起光が一次の励起光を増幅する。増幅された一次の励起光と信号光は励起光増幅装置５０の合波手段５２に達する。一方で、Ｃ局３０において、一次の励起光源３２から送信された一次の励起光と、二次の励起光源３３から送信された二次の励起光が合波手段３４で合波され、伝送路を通じて合波手段５２に達し、Ａ局１０からの信号光と一次の励起光と二次の励起光とを合波する。続いて、励起光増幅用光ファイバ５１において、二次の励起光が一次の励起光を増幅する。Ｂ局では、一次の励起光源２２から一次の励起光が送信され、合波手段２４を介して、信号光および励起光増幅装置７２の合波手段７３に達する。二次の励起光源２３からは直接に合波手段７３に達する。Ｄ局４０では、一次の励起光源４２から送信される一次の励起光と、二次の励起光源４３から送信される二次の励起光とが、合波手段４４で合波され、伝送路を通じて合波手段７３に達する。そして、励起光増幅用光ファイバ７２において、二次の励起光が一次の励起光を増幅する。信号光増幅用光ファイバ７１では、両側から来る一次の励起光が信号光を増幅する。増幅された信号光は、光受信装置２１で受信される。この第２２の実施形態によれば、一次の励起光が二次の励起光により増幅され、信号光増幅用光ファイバ７１の両側から、かなりのパワーを供給することができる。
【００５９】
なお、励起光増幅用光ファイバ５１にはツリウムをドープし、信号光増幅用光ファイバ６１にはエルビウムをドープするのが好適である。
【図面の簡単な説明】
【００６０】
【図１】本発明の第１の実施形態を示す光ファイバ通信システムのブロック図である。
【図２】本発明の第２の実施形態を示す光ファイバ通信システムのブロック図である。
【図３】本発明の第３の実施形態を示す光ファイバ通信システムのブロック図である。
【図４】本発明の第４の実施形態を示す光ファイバ通信システムのブロック図である。
【図５】本発明の第５の実施形態を示す光ファイバ通信システムのブロック図である。
【図６】本発明の第６の実施形態を示す光ファイバ通信システムのブロック図である。
【図７】本発明の第７の実施形態を示す光ファイバ通信システムのブロック図である。
【図８】本発明の第８の実施形態を示す光ファイバ通信システムのブロック図である。
【図９】本発明の第９の実施形態を示す光ファイバ通信システムのブロック図である。
【図１０】本発明の第１０の実施形態を示す光ファイバ通信システムのブロック図である。
【図１１】本発明の第１１の実施形態を示す光ファイバ通信システムのブロック図である。
【図１２】本発明の第１２の実施形態を示す光ファイバ通信システムのブロック図である。
【図１３】本発明の第１３の実施形態を示す光ファイバ通信システムのブロック図である。
【図１４】本発明の第１４の実施形態を示す光ファイバ通信システムのブロック図である。
【図１５】本発明の第１５の実施形態を示す光ファイバ通信システムのブロック図である。
【図１６】本発明の第１６の実施形態を示す光ファイバ通信システムのブロック図である。
【図１７】本発明の第１７の実施形態を示す光ファイバ通信システムのブロック図である。
【図１８】本発明の第１８の実施形態を示す光ファイバ通信システムのブロック図である。
【図１９】本発明の第１９の実施形態を示す光ファイバ通信システムのブロック図である。
【図２０】本発明の第２０の実施形態を示す光ファイバ通信システムのブロック図である。
【図２１】本発明の第２１の実施形態を示す光ファイバ通信システムのブロック図である。
【図２２】本発明の第２２の実施形態を示す光ファイバ通信システムのブロック図である。
【図２３】本発明の第２３の実施形態を示す光ファイバ通信システムのブロック図である。
【図２４】従来例を示す光ファイバ通信システムのブロック図である。
【図２５】従来例を示す光ファイバ通信システムのブロック図である。
【図２６】従来例を示す光ファイバ通信システムのブロック図である。
【符号の説明】
【００６１】
１１    光送信装置
１２，１２’，２２，２２’，３２，４２  一次の励起光源
１３，１３’，２３，２３’，３３，４３  二次の励起光源
２１    光受信装置
５１，５１’，７１，７１’  励起光増幅用光ファイバ
６１，７２  信号光増幅用光ファイバ
【図１】
2006013965.tif 000003
【図２】
2006013965.tif 000004
【図３】
2006013965.tif 000005
【図４】
2006013965.tif 000006
【図５】
2006013965.tif 000007
【図６】
2006013965.tif 000008
【図７】
2006013965.tif 000009
【図８】
2006013965.tif 000010
【図９】
2006013965.tif 000011
【図１０】
2006013965.tif 000012
【図１１】
2006013965.tif 000013
【図１２】
2006013965.tif 000014
【図１３】
2006013965.tif 000015
【図１４】
2006013965.tif 000016
【図１５】
2006013965.tif 000017
【図１６】
2006013965.tif 000018
【図１７】
2006013965.tif 000019
【図１８】
2006013965.tif 000020
【図１９】
2006013965.tif 000021
【図２０】
2006013965.tif 000022
【図２１】
2006013965.tif 000023
【図２２】
2006013965.tif 000024
【図２３】
2006013965.tif 000025
【図２４】
2006013965.tif 000026
【図２５】
2006013965.tif 000027
【図２６】
2006013965.tif 000028